【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
グローバルポジショニングシステム（ＧＰＳ）有効無線通信デバイスであって、
アンテナ（１１０）と、
該アンテナに接続されているダイプレクサ（１４０）であって、第１の複数のバンド信号を該ダイプレクサ（１４０）の第１のポート上および第２の複数のバンド信号を該ダイプレクサ（１４０）の第２のポート上に分離する、ダイプレクサ（１４０）と、
該ダイプレクサ（１４０）の第１のポートに接続されている第１の通信バンドデュプレクサ（１５０）と、
該ダイプレクサ（１４０）の第２のポートに接続されているスイッチングモジュール（１７０）であって、該第２の複数のバンド信号を該スイッチングモジュール（１７０）の第１のスイッチ出力上、または該スイッチングモジュール（１７０）の第２のスイッチポート上に選択的に結合するように適合されている、スイッチングモジュール（１７０）と、
該スイッチングモジュール（１７０）の第２のスイッチングポートに接続されている第２の通信バンドデュプレクサ（１６０）と、
該スイッチングモジュール（１７０）の第１のスイッチ出力に接続されているグローバルポジショニングシステム（ＧＰＳ）モジュール（１７５）と
を備え、
該ＧＰＳモジュール（１７５）は、およそＧＰＳ信号周波数におけるインピーダンスを整合するように構成されているインピーダンス整合回路（１８０）を備える、デバイス。
【請求項２】
前記第１の複数のバンド信号は、前記第２の複数のバンド信号より低い周波数を有する低バンド信号であり、該第２の複数のバンド信号は、グローバルポジショニングシステム（ＧＰＳ）バンドと少なくとも１つの他の無線通信バンドとを含む高いバンド信号である、請求項１に記載のデバイス。
【請求項３】
前記第１の複数のバンド信号は、およそ８００Ｍｚの中心周波数を有するセルラーバンドを含み、前記第２の複数のバンド信号は、およそ１９００ＭＨｚの中心周波数とおよそ１５７５ＭＨｚにおける前記ＧＰＳ信号周波数を有するＰＣＳバンドとを含む、請求項２に記載のデバイス。
【請求項４】
前記第１の複数のバンド信号は、前記第２の複数のバンド信号より高い周波数を有する高バンド信号であり、該第２の複数のバンド信号は、グローバルポジショニングシステム（ＧＰＳ）バンドと少なくとも１つの他の無線通信バンドとを含む低バンド信号である、請求項１に記載のデバイス。
【請求項５】
前記第２の複数のバンド信号は、およそ８００Ｍｚの中心周波数とおよそ１５７５ＭＨｚにおける前記ＧＰＳ信号周波数とを有するセルラーバンドを含み、該第１の複数のバンド信号は、およそ１９００ＭＨｚの中心周波数を有するＰＣＳバンドを含む、請求項４に記載のデバイス。
【請求項６】
前記ＧＰＳモジュール（１７５）は、前記第１のスイッチ出力に接続されているインピーダンス整合回路（１８０）を備え、該インピーダンス整合回路（１８０）は、およそ前記ＧＰＳ信号周波数におけるインピーダンスを整合する、請求項１に記載のデバイス。
【請求項７】
前記ＧＰＳモジュール（１７５）は、ＧＰＳ低ノイズ増幅器（１９０）をさらに備えた、請求項６に記載のデバイス。
【請求項８】
前記インピーダンス整合回路（１８０）は、ＧＰＳバンドをチューニングすることを提供する、請求項６に記載のデバイス。
【請求項９】
前記ＧＰＳモジュール（１７５）は、前記スイッチングモジュール（１７０）に接続されているインピーダンス整合回路（１８０）と、該インピーダンス整合回路（１８０）に接続されているＧＰＳ低ノイズ増幅器（１９０）を備えた、請求項１に記載のデバイス。
【請求項１０】
前記スイッチングモジュール（１７０）は、２方向スイッチを備えた、請求項１に記載のデバイス。
【請求項１１】
前記ダイプレクサ（１４０）は、およそ１０００ＭＨｚのカットオフ周波数を有するローパスフィルタ特性（２１０）を備え、該ローパスフィルタ特性（２１０）は、第１の無線通信バンドを含む前記第１の複数のバンド信号を通過させるように構成されている、請求項２に記載のデバイス。
【請求項１２】
前記ダイプレクサ（１４０）は、およそ１４００ＭＨｚのカットオフ周波数を有するハイパスフィルタ特性（２２０）を備え、該ハイパスフィルタ特性（２２０）は、前記少なくとも１つの他の無線通信バンドと前記ＧＰＳバンドとを通過させるように構成されている、請求項１１に記載のデバイス。
【請求項１３】
前記ダイプレクサ（１４０）は、およそ１６００ＭＨｚのカットオフ周波数を有するローパスフィルタ特性（２１０）を備え、該ローパスフィルタ特性（２１０）は、第２の無線通信バンドと前記グローバルポジショニングシステム（ＧＰＳ）バンドとを含む前記第２の複数のバンド信号を通過させるように構成されている、請求項３に記載のデバイス。
【請求項１４】
前記ダイプレクサ（１４０）は、およそ１７００ＭＨｚのカットオフ周波数を有するハイパスフィルタ特性（２２０）を備え、該ハイパスフィルタ特性（２２０）は、前記少なくとも１つの他の無線通信バンドを通過させるように構成されている、請求項１３に記載のデバイス。
【請求項１５】
グローバルポジショニングシステム（ＧＰＳ）有効デバイスを提供するための方法であって、
アンテナ（１１０）上で少なくとも１つの通信バンドからの無線通信信号を受信するステップと、
該アンテナ（１１０）からの該無線通信信号をダイプレクサ（１４０）と結合するステップと、
該無線通信信号がグローバルポジショニングシステム（ＧＰＳ）バンド信号を含むとき、該ダイプレクサ（１４０）を用いて該無線通信信号のＧＰＳバンド信号を分離し、スイッチモジュール（１７０）を介して該分離したＧＰＳバンド信号をＧＰＳモジュール（１７５）に結合するステップと、
該無線通信信号が第１のバンド信号を含むとき、該ダイプレクサ（１４０）を用いて該無線通信信号の第１のバンド信号を分離し、該分離した第１のバンド信号を第１のバンドデュプレクサ（１５０）に結合するステップと、
該無線通信信号が第２のバンド信号を含むとき、該ダイプレクサ（１４０）を用いて該無線通信信号の第２のバンド信号を分離し、該スイッチモジュール（１７０）を介して該分離した第２のバンド信号を第２のバンドデュプレクサ（１６０）に結合するステップと
を包含する、方法。
【請求項１６】
前記無線通信信号を、前記ダイプレクサ（１４０）を用いて低バンド信号と高バンド信号とに分離するステップをさらに包含し、
前記第１のバンド信号は、前記高バンド信号より低い周波数を有する低バンド信号であり、該高バンド信号は前記第２のバンド信号と前記ＧＰＳバンド信号とを包含する、請求項１５に記載の方法。
【請求項１７】
前記無線通信信号を、前記ダイプレクサ（１４０）を用いて低バンド信号と高バンド信号とに分離するステップをさらに包含し、
前記第１のバンド信号は、前記低バンド信号より高い周波数を有する高バンド信号であり、該低バンド信号は前記第２のバンド信号と前記ＧＰＳバンド信号とを包含する、請求項１５に記載の方法。
【請求項１８】
前記第１のバンド信号は、およそ８００Ｍｚの中心周波数を有するセルラーバンドを包含し、前記第２のバンド信号は、およそ１９００ＭＨｚの中心周波数を有するＰＣＳバンドと、およそ１５７５ＭＨｚにおける中心周波数を有する前記ＧＰＳバンド信号を包含する、請求項１６に記載の方法。
【請求項１９】
前記第２のバンド信号は、およそ８００Ｍｚの中心周波数を有するセルラーバンドとおよそ１５７５ＭＨｚの中心周波数を有する前記ＧＰＳバンド信号とを包含し、前記第１のバンド信号は、およそ１９００ＭＨｚの中心周波数を有するＰＣＳバンドを包含する、請求項１７に記載の方法。
【請求項２０】
前記ダイプレクサ（１４０）は、およそ１０００ＭＨｚのカットオフ周波数を有するローパスフィルタ特性（２１０）を備え、該ローパスフィルタ特性（２１０）は、第１の無線通信バンドを含む前記第１のバンド信号を通過させるように構成されている、請求項１６に記載の方法。
【請求項２１】
前記ダイプレクサ（１４０）は、およそ１４００ＭＨｚのカットオフ周波数を有するハイパスフィルタ特性（２２０）を備え、該ハイパスフィルタ特性（２２０）は、前記第２のバンド信号と前記ＧＰＳバンド信号とを通過させるように構成されている、請求項２０に記載の方法。
【請求項２２】
前記ダイプレクサ（１４０）は、およそ１６００ＭＨｚのカットオフ周波数を有するローパスフィルタ特性（２１０）を備え、該ローパスフィルタ特性（２１０）は、第２の無線通信バンドと前記ＧＰＳバンド信号とを含む前記第２の複数のバンド信号を通過させるように構成されている、請求項１７に記載の方法。
【請求項２３】
前記ダイプレクサ（１４０）は、およそ１７００ＭＨｚのカットオフ周波数を有するハイパスフィルタ特性（２２０）を備え、該ハイパスフィルタ特性（２２０）は、前記第１のバンド信号を通過させるように構成されている、請求項２２に記載の方法。